(57)【要約】【課題】簡単な入力方法で漢字を入力できる漢字表示装置及び漢字表示制御プログラムを提供すること。【解決手段】ＣＰＵ１１は、辞書制御プログラム１２ａに従って、入力部１６の操作によって部品とその個数との入力を受け、その入力された部品とその個数とに従って、漢字毎に当該漢字を構成する部品と各部品の個数とを対応付けて記憶する漢字データベース１２ｄを検索して、該当する漢字を表示部１７に表示する。【選択図】      図１
2007272712.tif 000002
【特許請求の範囲】
【請求項１】
漢字毎に、当該漢字を構成する部品と各部品の個数とを対応付けて記憶する漢字データベースと、
部品とその個数とを入力する入力手段と、
この入力手段によって入力された部品とその個数とに従って上記漢字データベースを検索して該当する漢字を表示する該当漢字表示手段と、
を具備することを特徴とする漢字表示装置。
【請求項２】
上記入力手段は、数字入力用のキーと特定記号入力用のキーとを備えたキーボードパネルを含み、
上記部品の入力は、上記数字入力用のキーによる部品を示す数字の入力により行われ、
上記個数の入力は、上記特定記号入力用のキーによる特定記号の入力と、それに続く上記数字入力用のキーによる数字の入力によって行われる
ことを特徴とする請求項１に記載の漢字表示装置。
【請求項３】
上記入力手段によって入力された部品を示す数字と、その個数とを表示する部品個数表示手段を更に具備することを特徴とする請求項２に記載の漢字表示装置。
【請求項４】
上記キーボードパネルにおける上記数字入力用のキーには、対応する部品の形状が呈示されていることを特徴とする請求項２に記載の漢字表示装置。
【請求項５】
上記入力手段によって入力された部品を示す数字に対応する部品の形状と、その個数とを表示する部品個数表示手段を更に具備することを特徴とする請求項４に記載の漢字表示装置。
【請求項６】
上記該当漢字表示手段は、上記入力手段によって部品が入力される毎、もしくは部品とその個数が入力される毎に、上記漢字データベースを検索して該当する漢字を表示することを特徴とする請求項１に記載の漢字表示装置。
【請求項７】
上記入力手段による部品の個数の入力は、当該部品の個数が１つの場合には、その個数入力が省略可能であることを特徴とする請求項１に記載の漢字表示装置。
【請求項８】
漢字を表示するための漢字表示装置のコンピュータを制御するための漢字表示制御プログラムであって、
上記コンピュータを、
部品とその個数とを入力する入力手段、
この入力手段によって入力された部品とその個数とに従って、漢字毎に当該漢字を構成する部品と各部品の個数とを対応付けて記憶する漢字データベースを検索して、該当する漢字を表示する該当漢字表示手段、
として機能させるようにしたコンピュータ読み込み可能な漢字表示制御プログラム。
【発明の詳細な説明】
【技術分野】
【０００１】
本発明は、漢字を入力する漢字表示装置、及びコンピュータをそのような漢字表示装置として機能させるためのコンピュータ読み込み可能な漢字表示制御プログラムに関する。
【背景技術】
【０００２】
従来から、国語辞典，漢和辞典，英和辞典，百科事典などの各種の辞典や辞書を電子データ化してＲＯＭなどの記憶媒体に格納し、これに基づき各種の言語や語句を検索文字として入力し、その訳語や説明情報、例文などを検索して表示するようにした電子辞書装置が広く汎用されている。
【０００３】
そして、このような電子辞書装置において、検索文字を入力する際、漢字をあまり知らない人でも簡単に入力ができ、手間をかけずに求める漢字を迅速に表示できるように、漢字の音訓、部首、画数等の情報によって表示手段上に呼出す漢字の検索方法が広く用いられている。
【０００４】
また、特許文献１には、更に、１つの漢字を構成する複数の構成漢字の読みを入力してその漢字の候補を指定し、求める漢字を検索する漢字の検索方法が開示されている。これは、例えば、「馨」という漢字を入力する際、この漢字は「声」、「士」、「又」、「香」、「日」等の複数の構成漢字から成るので、「こえ」、「せい」、「し」、「また」、「こう」、「かおり」、「ひ」、「にち」等の各構成漢字の読みで構成漢字名を入力して、所望の漢字を検索するというものである。
【特許文献１】特開平０５−２８２２９４号公報
【発明の開示】
【発明が解決しようとする課題】
【０００５】
上記特許文献１に開示の手法を含む従来の漢字の検索方法では、部首や構成漢字名で入力する必要があり、煩雑であった。
【０００６】
また、部首入力を利用する場合には、正確な部首を知らないとうまく入力できない。更に、部首の数は多数有り、部首を選択するのが煩雑であった。
【０００７】
横棒や縦棒といった漢字を構成する各部品の数を調べて、部品と数を直接入力して簡単に漢字を入力したいという要望がある。
【０００８】
本発明は、このような課題に鑑みなされたもので、簡単な入力方法で漢字を入力できる漢字表示装置及び漢字表示制御プログラムを提供することを目的とする。
【課題を解決するための手段】
【０００９】
請求項１に記載の漢字表示装置は、漢字毎に、当該漢字を構成する部品と各部品の個数とを対応付けて記憶する漢字データベースと、部品とその個数とを入力する入力手段と、この入力手段によって入力された部品とその個数とに従って上記漢字データベースを検索して該当する漢字を表示する該当漢字表示手段と、を具備することを特徴とする。
【００１０】
請求項２に記載の漢字表示装置は、上記請求項１に記載の漢字表示装置において、上記入力手段は、数字入力用のキーと特定記号入力用のキーとを備えたキーボードパネルを含み、上記部品の入力は、上記数字入力用のキーによる部品を示す数字の入力により行われ、上記個数の入力は、上記特定記号入力用のキーによる特定記号の入力と、それに続く上記数字入力用のキーによる数字の入力によって行われることを特徴とする。
【００１１】
請求項３に記載の漢字表示装置は、上記請求項２に記載の漢字表示装置において、上記入力手段によって入力された部品を示す数字と、その個数とを表示する部品個数表示手段を更に具備することを特徴とする。
【００１２】
請求項４に記載の漢字表示装置は、上記請求項２に記載の漢字表示装置において、上記キーボードパネルにおける上記数字入力用のキーには、対応する部品の形状が呈示されていることを特徴とする。
【００１３】
請求項５に記載の漢字表示装置は、上記請求項４に記載の漢字表示装置において、上記入力手段によって入力された部品を示す数字に対応する部品の形状と、その個数とを表示する部品個数表示手段を更に具備することを特徴とする。
【００１４】
請求項６に記載の漢字表示装置は、上記請求項１に記載の漢字表示装置において、上記該当漢字表示手段は、上記入力手段によって部品が入力される毎、もしくは部品とその個数が入力される毎に、上記漢字データベースを検索して該当する漢字を表示することを特徴とする。
【００１５】
請求項７に記載の漢字表示装置は、上記請求項１に記載の漢字表示装置において、上記入力手段による部品の個数の入力は、当該部品の個数が１つの場合には、その個数入力が省略可能であることを特徴とする。
【００１６】
請求項８に記載の漢字表示制御プログラムは、漢字を表示するための漢字表示装置のコンピュータを制御するための漢字表示制御プログラムであって、上記コンピュータを、部品とその個数とを入力する入力手段、この入力手段によって入力された部品とその個数とに従って、漢字毎に当該漢字を構成する部品と各部品の個数とを対応付けて記憶する漢字データベースを検索して、該当する漢字を表示する該当漢字表示手段、として機能させることを特徴とする。
【発明の効果】
【００１７】
本発明の請求項１（請求項８）に記載の漢字表示装置（漢字表示制御プログラム）によれば、漢字を構成する構成漢字ではなく、例えば横棒や縦棒といった漢字を構成する部品とその数を直接画面で指定して入力するので、漢字を簡単に表示して、入力することができる。
【００１８】
本発明の請求項２に記載の漢字表示装置によれば、上記請求項１に記載の漢字表示装置において、数字入力用のキーによる部品を示す数字の入力によって部品が入力でき、また、個数の入力は、乗算器号（×）等の特定記号入力用のキーによる特定記号の入力と、それに続く上記数字入力用のキーによる数字の入力によって行うことができるので、不慣れなユーザにも直感的に入力することができる。
【００１９】
請求項３に記載の漢字表示装置は、上記請求項２に記載の漢字表示装置において、入力された部品を示す数字とその個数とを表示するので、入力内容を確認できる。
【００２０】
請求項４に記載の漢字表示装置は、上記請求項２に記載の漢字表示装置において、数字入力用のキーには、対応する部品の形状が呈示されているので、入力しようとするキーを容易に選定できる。
【００２１】
請求項５に記載の漢字表示装置は、上記請求項４に記載の漢字表示装置において、入力された部品を示す数字に対応する部品の形状を表示するので、入力間違いに気づきやすく、誤っていた場合に直ぐに入力訂正できる。
【００２２】
請求項６に記載の漢字表示装置は、上記請求項１に記載の漢字表示装置において、部品が入力される毎もしくは部品とその個数が入力される毎に漢字データベースが検索されるので、部品及び個数の入力後に、検索指示を入力する手間を省くことができる。
【００２３】
請求項７に記載の漢字表示装置は、上記請求項１に記載の漢字表示装置において、部品の個数が１つの場合には個数入力が省略可能であるので、入力の手間を省くことができる。
【００２４】
よって本発明によれば、簡単な入力方法で漢字を入力できる漢字表示装置及び漢字表示制御プログラムを提供できる。
【発明を実施するための最良の形態】
【００２５】
以下、図面により本発明の実施の形態について説明する。
【００２６】
［第１実施形態］
図１（Ａ）は、本発明の第１実施形態に係る漢字表示装置を適用した携帯機器（電子辞書）１０の電子回路の構成を示すブロック図である。
【００２７】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。
【００２８】
この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００２９】
ＣＰＵ１１は、メモリ１２内に予め記憶された装置制御プログラム、あるいはＲＯＭカードなどの外部記憶媒体１３から記憶媒体読取部１４を介して上記メモリ１２に読み込まれた装置制御プログラム、あるいはインターネット上のＷｅｂサーバ（この場合はプログラムサーバ）から通信部１５を介して上記メモリ１２に読み込まれた装置制御プログラムに応じて、回路各部の動作を制御するもので、上記メモリ１２に記憶された装置制御プログラムは、キーやタッチパネルからなる入力部１６からのユーザ操作に応じた入力信号、あるいは通信部１５を介して接続されるインターネット上の各Ｗｅｂサーバとの通信信号、あるいは記憶媒体読取部１４を介して外部接続されるＥＥＰＲＯＭ，ＲＡＭ，ＲＯＭなどのメモリカード（外部記憶媒体１３）との接続通信信号に応じて起動される。
【００３０】
上記ＣＰＵ１１には、上記メモリ１２、記憶媒体読取部１４、通信部１５、入力部１６が接続される他に、ＬＣＤからなる表示部１７などが接続される。
【００３１】
メモリ１２には、当該携帯機器（電子辞書）１０の全体の動作を司るシステムプログラムや通信部１５を介してインターネット上の各Ｗｅｂサーバとデータ通信するための通信プログラムが記憶される他に、必要な辞書データを辞書管理用のＷｅｂサーバやメモリカード（記憶媒体）からダウンロードしたり、辞書データメモリ（１２ｂ）に基づき検索語入力に応じた見出語の訳語や意味内容などの各種説明情報を検索表示したり、またその検索見出語の使用例文を検索表示したりするための辞書制御プログラム１２ａが記憶される。
【００３２】
また、このメモリ１２には、辞書データメモリ１２ｂ、検索語データメモリ１２ｃ、漢字データベース１２ｄ、ワークエリア１２ｅなどが用意される。
【００３３】
辞書データメモリ１２ｂには、国語辞典，漢和辞典，英和辞典，英英辞典，和英辞典、日中辞典など、種類の異なる多数の辞書データベースが予め、あるいはダウンロードされて複数記憶される。
【００３４】
検索語データメモリ１２ｃには、辞書データメモリ１２ｂの検索処理に伴い検索対象の言語・語句としてユーザ入力された単語などが検索語として記憶される。
【００３５】
漢字データベース１２ｄは、図１（Ｂ）に示すように、漢字を構成する部品とその数に対応させて漢字を登録したデータベースである。例えば、部品“―”が１個で構成される漢字として“一”が登録され、部品“｜”と“―”が１個ずつから構成される漢字として“十”が登録されている。また、部品“｜”が２個、部品“―”が２個、部品“ノ”が１個、部品“丶”が１個、部品“乙”が１個から構成される漢字として“足”が登録され、部品“｜”が１個、部品“―”が４個、部品“丶”が１個、部品“乙”が１個から構成される漢字として“言”が登録されている。
【００３６】
ワークエリア１２ｅには、上記辞書制御プログラム１２ａなどの各種の装置制御プログラムに従いＣＰＵ１１に入出力される種々のデータが必要に応じて記憶されるもので、例えば、ユーザによって入力された部品と個数や、例文検索処理に伴い検索された複数の例文が記憶される。
【００３７】
入力部１６のキーボードパネルには、図２（Ａ）に示すように、ひらがな，カタカナ，漢字，英数字，演算記号を任意入力するための一連の文字入力キー１６Ａ、検索に使用する辞書を指定するための辞書選択キー１６Ｂ、各種機能を選択するための機能キー１６Ｃ、カーソル移動用のカーソルキー１６Ｄ、辞書データメモリ１２ｂに記憶されている指定の辞書を対象にして入力検索語に対応する見出語及びその説明情報の検索を行うための決定キー１６Ｅ、１つ前の状態に戻ることを指示するための戻るキー１６Ｆなどが備えられる。文字入力キー１６Ａは、スペース入力のためのスペースキー１６Ａ１や乗算記号（×）を入力するための×キー１６Ａ２を含む。
【００３８】
そして、本実施形態においては、上記文字入力キー１６Ａの内、数字１〜５を入力するための数字キーそれぞれに、更に、漢字を構成する１つの部品が割り当てられている。即ち、“１”には部品“｜”が、“２”には部品“―”が、“３”には部品“ノ”が、“４”には部品“丶”が、“５”には部品“乙”が、それぞれ割り当てられている。
【００３９】
本実施形態においては、このような数字キー入力によって簡単に漢字を構成する部品を指定入力できるようになっている。
【００４０】
上記携帯機器（電子辞書）１０において、このような入力部１６のキーボードパネルを用いた漢字表示機能を実現するために、メモリ１２に記憶された辞書制御プログラム１２ａの例を、以下に説明する。なお、ここでは、中日辞書検索処理の中で利用する場合を例に説明するが、当然、国語辞書検索処理や漢和辞書検索処理等、他の処理の中でも同様に利用可能なことは勿論である。
【００４１】
図３（Ａ）は、辞書制御プログラム１２ａにおける中日辞書検索処理を説明するためのフローチャートを示す図である。
【００４２】
即ち、入力部１６の辞書選択キー１６Ｂの操作により中日辞書の検索が指定されると、詳細は後述するようなユーザによる漢字入力を受け付ける漢字検索処理を実施し（ステップＳ１）、決定した漢字を、検索対象の言語・語句（検索語）として、検索語データメモリ１２ｃの検索文字列エリアに入力する（ステップＳ２）。そして、入力部１６の決定キー１６Ｅのユーザ操作に応じて、その検索文字で、メモリ１２の辞書データメモリ１２ｂにおける中日辞書の検索を行い、検索された見出語の一覧を表示部１７に表示する（ステップＳ３）。その後、ユーザによって、入力部１６のカーソルキー１６Ｄの操作によってユーザ所望の見出語の選択が行われ、決定キー１６Ｅの操作に応じて、その指定の見出語の説明情報を表示部１７に全画面表示する（ステップＳ４）。上記ステップＳ３の見出語検索処理及びステップＳ４の説明情報の表示処理は、従来と同様の処理であるので、その詳細な説明は省略する。
【００４３】
図３（Ｂ）は、上記ステップＳ１で実行される漢字検索処理を説明するためのフローチャートを示す図である。
【００４４】
即ち、まず、ユーザによる漢字検索方法の指定を受け付ける（ステップＳ１１）。例えば、表示部１７に複数の検索方法を一覧表示し、ユーザによる入力部１６のカーソルキー１６Ｄ及び決定キー１６Ｅの操作に応じて指定が行われる。そして、その指定された漢字検索方法が部品個数検索であるのか否かを判別する（ステップＳ１２）。ここで、部品個数検索が指定されていなければ、他の漢字検索処理を実施する（ステップＳ１３）。これは、例えば総画数検索処理、読み検索処理、部首検索処理、等であり、これらは従来と同様の処理であるので、その詳細な説明は省略する。これに対して、上記ステップＳ１２において、部品個数検索が指定されていると判別した場合には、詳細は後述するような部品個数検索処理を実行する（ステップＳ１４）。そして、上記ステップＳ１３又はステップＳ１４の検索処理で検索された漢字を、ユーザ所望の漢字として決定する（ステップＳ１５）。この決定された漢字が、上記ステップＳ２において、検索語として検索語データメモリ１２ｃの検索文字列エリアに入力されることになる。
【００４５】
図４は、上記ステップＳ１４で実行される部品個数検索処理を説明するためのフローチャートを示す図である。
【００４６】
この部品個数検索処理においては、まず、表示部１７に、漢字入力画面を表示する（ステップＳ１４０１）。図５は、この漢字入力画面１７１を示す図である。この漢字入力画面１７１は、上下２段に別れており、上段に、検索しようとする漢字の部品とその個数を入力するための部品・個数入力欄１７２と、決定した検索文字列を表示するための決定文字エリア１７３とが配されている。また、漢字入力画面１７１の下段は、検索された漢字候補の一覧を表示する候補エリア１７４となっている。なお、候補エリア１７４においては、漢字候補選択用の反転カーソル１７５が表示され、該反転カーソル１７５を入力部１６のカーソルキー１６Ｄの操作によって所望の漢字候補上に移動させて決定キー１６Ｅを操作することで、その選択漢字が決定されて、上記決定文字エリア１７３に表示されるようになっている。
【００４７】
次に、入力部１６の文字入力キー１６Ａの内の数字キーが操作されたか否かを判別する（ステップＳ１４０２）。ここで、何れかの数字キーが操作された場合には、漢字入力画面１７１の部品・個数入力欄１７２のカーソル（図示せず）を表示している位置に、その操作された数字キーの数字を入力表示する（ステップＳ１４０３）。なお、この入力された数字は、メモリ１２のワークエリア１２ｅ等に保存される。そして、部品・個数入力欄１７２に表示されている（ワークエリア１２ｅ等に保存されている）数字及び乗算記号（×）で示される部品の種類とその個数とに従って、メモリ１２の漢字データベース１２ｄから漢字を検索してメモリ１２のワークエリア１２ｅ等に読み出し、その読み出された漢字を漢字候補として漢字入力画面１７１の候補エリア１７４に一覧表示する（ステップＳ１４０４）。なおこのとき、その一覧表示した漢字候補のうちの先頭の漢字を反転カーソル１７５で指定表示する。そしてその後、上記ステップＳ１４０２に戻る。
【００４８】
また、上記ステップＳ１４０２で数字キーが操作されていないと判別した場合には、入力部１６の文字入力キー１６Ａの内の×キー１６Ａ２が操作されたか否かを判別する（ステップＳ１４０５）。ここで、×キー１６Ａ２が操作された場合には、漢字入力画面１７１の部品・個数入力欄１７２のカーソルを表示している位置に、×を入力表示して（ステップＳ１４０６）、上記ステップＳ１４０２に戻る。なお、この入力された×は、上記メモリ１２のワークエリア１２ｅ等に保存されている数字に続けて保存される。
【００４９】
また、上記ステップＳ１４０５で×キー１６Ａ２が操作されていないと判別した場合には、入力部１６の文字入力キー１６Ａの内のスペースキー１６Ａ１が操作されたか否かを判別する（ステップＳ１４０７）。ここで、スペースキー１６Ａ１が操作された場合には、漢字入力画面１７１の部品・個数入力欄１７２のカーソルを表示している位置に、スペースを入力表示して（ステップＳ１４０８）、上記ステップＳ１４０２に戻る。なお、この入力されたスペースは、上記メモリ１２のワークエリア１２ｅ等に保存されている数字に続けて保存される。
【００５０】
また、上記ステップＳ１４０７でスペースキー１６Ａ１が操作されていないと判別した場合には、入力部１６のカーソルキー１６Ｄが操作されたか否かを判別する（ステップＳ１４０９）。ここで、カーソルキー１６Ｄが操作された場合には、漢字入力画面１７１の候補エリア１７４の反転カーソル１７５による指定表示を、その操作されたカーソルキー方向の漢字候補に変更して（ステップＳ１４１０）、上記ステップＳ１４０２に戻る。なお、反転カーソル１７５の移動位置は、メモリ１２のワークエリア１２ｅ等に更新保存される。
【００５１】
また、上記ステップＳ１４０９でカーソルキー１６Ｄが操作されていないと判別した場合には、入力部１６の決定キー１６Ｅが操作されたか否かを判別する（ステップＳ１４１１）。ここで、この決定キー１６Ｅも操作されていないと判別した場合には、他の処理へと進む。なお、この他の処理とは、例えばこの部品個数検索処理の終了や別の辞書検索処理の実行の指示を判別して、この部品個数検索処理を終了するという処理や、文字入力キー１６Ａのうちの削除キー操作に応じて部品・個数入力欄１７２のカーソルを表示している位置の前の数字や×、スペースを削除する処理や、それら数字キーや削除キー以外の文字入力キー１６Ａの操作に応じて、何もせずに或いはエラー報知して、上記ステップＳ１４０２に戻るような処理も含む。
【００５２】
一方、上記ステップＳ１４１１において決定キー１６Ｅが操作されたと判別した場合には、反転カーソル１７５による指定漢字がユーザ所望の漢字であるとして検索対象に決定し、漢字入力画面１７１の上段の決定文字エリア１７３にその漢字を表示して（ステップＳ１４１２）、上位のルーチンに戻る。
【００５３】
例えば図５に示すような漢字入力画面１７１は、数字キー、×キー１６Ａ２及びスペースキー１６Ａ１の操作により“１×２  ２×２  ３  ４  ５”が入力された場合、つまり、部品“｜”が２個、部品“―”が２個、部品“ノ”が１個、部品“丶”が１個、部品“乙”が１個と入力された場合を示しており、この場合には、それら部品の種類と個数とから漢字データベース１２ｄより漢字“足”が検索されて候補エリア１７４に表示されている状態を示している。このような状態で、決定キー１６Ｅが操作されると、図６に示すように、反転カーソル１７５で指定されているその漢字“足”が検索対象として決定されて、決定文字エリア１７３に表示される。
【００５４】
こうして、ユーザ所望の漢字を表示した後、入力部１６の決定キー１６Ｅを操作すれば、上記ステップＳ３において、その漢字が検索語として、メモリ１２の辞書データメモリ１２ｂにおける中日辞書の検索が行われて見出語の一覧が表示部１７に表示される。そして、ユーザ所望の見出語を選択して決定キー１６Ｅを操作すれば、上記ステップＳ４において、その指定の見出語の説明情報が表示部１７に説明情報画面として全画面表示されることとなる。
【００５５】
なお、部品・個数入力欄１７２に入力する部品の種類を示す数字キーは、１から順番に入力する必要はない。例えば、ユーザが入力しやすいように、書き順に沿って入力することも可能である。
【００５６】
また、上記ステップＳ１４１２において、決定キー１６Ｅの操作に応じてユーザ所望の漢字を表示した後、上位のルーチンに戻るのではなく、続けて、別の漢字を入力できるようにしても良い。即ち、図６に示すように漢字“足”を検索対象として決定して決定文字エリア１７３に表示した後、再度、決定キー１６Ｅの操作の有無を判別して、決定キー１６Ｅが操作されれば上位のルーチンに戻り、決定キー１６Ｅが操作されない場合には、部品・個数入力欄１７２をクリアして、上記ステップＳ１４０２に戻るようにする。このようにすることで、図７に示すように、部品・個数入力欄１７２に更に“４  ２×４  １  ５”と入力して、つまり、部品“丶”が１個、部品“―”が４個、部品“｜”が１個、部品“乙”が１個と入力して、漢字“言”を検索するということができる。なお、この図７の例では、漢字“言”の部品を書き順に沿って入力している。
【００５７】
［第２実施形態］
上記第１実施形態では、部品の種類を数字キーで入力し、部品・個数入力欄１７２にその入力された数字をそのまま表示するようにしている。
【００５８】
そのような数字の代わりに、部品を表示するようにしても良い。
【００５９】
そのようにするために、本第２実施形態では、図８に示すように、上記ステップＳ１４０３とステップＳ１４０４との間に、２つの処理ステップを追加している。即ち、漢字入力画面１７１の部品・個数入力欄１７２に操作された数字キーの数字を入力した後（ステップＳ１４０３）、この数字の入力が×の後ろであるか否かを判別して（ステップＳ１４１３）、×の後ろでないならば、その数字を部品表示に変更するものである（ステップＳ１４１４）。
【００６０】
図９乃至図１１は、このようにすることで、数字の代わりに部品が表示された漢字入力画面１７１を、上記第１実施形態における図５乃至図７に対応させて示している。
【００６１】
［第３実施形態］
上記第１及び第２実施形態は、図２（Ａ）に示すように、入力部１６のキーボードパネルにおける文字入力キー１６Ａのうちの５個の数字キー“１”〜“５”それぞれに１つの部品が割り当てられている。
【００６２】
しかしながら、本発明はそれに限定されるものではなく、例えば図２（Ｂ）に示すように、文字入力キー１６Ａのうちの１０個の数字キー“１”〜“０”それぞれに１つ又は２つの漢字部品を割り当てるようにしても良い。即ち、“１”には部品“─”が、“２”には部品“│”が、“３”には部品“ノ”と“丶”とが、“４”には部品“十”が、“５”には部品“キ”が、“６”には部品“口”が、“７”には部品“「”と“」”とが、“８”には部品“八”が、“９”には部品“小”が、“０”には部品“亠”が、それぞれ割り当てられている。勿論この場合、メモリ１２の漢字データベース１２ｄにおいては、その１０個の部品の組み合わせに対応させて漢字が登録されていることは言うまでもない。
【００６３】
図１２乃至図１４は、このような１０個の数字キーを使用して、上記第２実施形態のように数字の代わりに部品を表示するとした場合における漢字入力画面１７１の例をそれぞれ示している。即ち、図１２では、“１×２  ２×２  ３”と入力することで、部品・個数入力欄１７２には“―×２  ｜×２  ノ丶”と表示され、漢字“歹”が検索されて、候補エリア１７４にその漢字“歹”が表示されている。また、図１３では、“１  ７  ２”と入力することで、部品・個数入力欄１７２には“―  「」  ｜”と表示され、漢字“卩”が検索されて、候補エリア１７４にその漢字“卩”が表示されている。図１４では、“０  １×２  ６”と入力することで、部品・個数入力欄１７２には“亠  ―×２  口”と表示され、漢字“言”が検索されて、候補エリア１７４にその漢字“言”が表示されている。
【００６４】
以上、実施形態に基づいて本発明を説明したが、本願発明はそれに限定されるものではなく、実施段階ではその要旨を逸脱しない範囲で種々に変形することが可能である。さらに、上記実施形態には種々の段階の発明が含まれており、開示される複数の構成要件における適宜な組み合わせにより種々の発明が抽出され得る。例えば、上記実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６５】
【図１】図１（Ａ）は本発明の第１実施形態に係る漢字表示装置を適用した携帯機器（電子辞書）の電子回路の構成を示すブロック図であり、図１（Ｂ）はメモリに構成された漢字データベースの内容を示す図である。
【図２】図２（Ａ）は第１実施形態における携帯機器（電子辞書）の入力部のキー配列を示す平面図であり、図２（Ｂ）は本発明の第３実施形態における携帯機器（電子辞書）の入力部のキー配列を示す平面図である。
【図３】図３（Ａ）は本発明の漢字表示制御プログラムの第１実施形態に係る辞書制御プログラムにおける中日辞書検索処理を説明するためのフローチャートを示す図であり、図３（Ｂ）は、上記辞書制御プログラムにおける漢字検索処理を説明するためのフローチャートを示す図である。
【図４】図４は、辞書制御プログラムにおける部品個数検索処理を説明するためのフローチャートを示す図である。
【図５】図５は、“１×２  ２×２  ３  ４  ５”が入力された場合の漢字入力画面を示す図である。
【図６】図６は、図５の状態において決定キーを操作した場合の漢字入力画面を示す図である。
【図７】図７は、図６の状態において更に“４  ２×４  １  ５”が入力された場合の漢字入力画面を示す図である。
【図８】図８は、本発明の漢字表示制御プログラムの第２実施形態に係る辞書制御プログラムにおける部品個数検索処理の要部を説明するためのフローチャートを示す図である。
【図９】図９は、第２実施形態において“１×２  ２×２  ３  ４  ５”が入力された場合の漢字入力画面を示す図である。
【図１０】図１０は、第２実施形態において図９の状態で決定キーを操作した場合の漢字入力画面を示す図である。
【図１１】図１１は、第２実施形態において図１０の状態で更に“４  ２×４  １  ５”が入力された場合の漢字入力画面を示す図である。
【図１２】図１２は、第３実施形態において“１×２  ２×２  ３”が入力された場合の漢字入力画面を示す図である。
【図１３】図１３は、第３実施形態において“１  ７  ２”が入力された場合の漢字入力画面を示す図である。
【図１４】図１４は、第３実施形態において“０  １×２  ６”が入力された場合の漢字入力画面を示す図である。
【符号の説明】
【００６６】
１０…携帯機器（電子辞書）
１１…ＣＰＵ
１２…メモリ
１２ａ…辞書制御プログラム
１２ｂ…辞書データメモリ
１２ｃ…検索語データメモリ
１２ｄ…漢字データベース
１２ｅ…ワークエリア
１３…外部記憶媒体
１４…記憶媒体読取部
１５…通信部
１６…入力部
１６Ａ…文字入力キー
１６Ｂ…辞書選択キー
１６Ｃ…機能キー
１６Ｄ…カーソルキー
１６Ｅ…決定キー
１６Ｆ…戻るキー
１６Ａ１…スペースキー
１６Ａ２…×キー
１７…表示部
１７１…漢字入力画面
１７２…部品・個数入力欄
１７３…決定文字エリア
１７４…候補エリア
１７５…反転カーソル
【図１】
2007272712.tif 000003
【図２】
2007272712.tif 000004
【図３】
2007272712.tif 000005
【図４】
2007272712.tif 000006
【図５】
2007272712.tif 000007
【図６】
2007272712.tif 000008
【図７】
2007272712.tif 000009
【図８】
2007272712.tif 000010
【図９】
2007272712.tif 000011
【図１０】
2007272712.tif 000012
【図１１】
2007272712.tif 000013
【図１２】
2007272712.tif 000014
【図１３】
2007272712.tif 000015
【図１４】
2007272712.tif 000016